(57)【要約】【課題】ヒンジ装置の取付作業性を向上できる開き窓を提供すること。【解決手段】縦すべり出し窓は、窓枠に障子を開閉可能に連結したヒンジ装置１０を備える。ヒンジ装置１０は、第一固定プレート１１と、第二固定プレート１２と、第一固定プレート１１を第二固定プレート１２に開閉移動可能に連結した連結機構１３とを備える。障子は、第一固定プレート１１に対して当該障子の開放移動および閉鎖移動によって力が加わる方向において、第一固定プレート１１を受けるプレート受け部３１５を有している。【選択図】図２
2018193783.tif 000002
【特許請求の範囲】
【請求項１】
枠体と、前記枠体内に配置された障子と、前記枠体に前記障子を開閉可能に連結したヒンジ装置とを備える開き窓であって、
前記ヒンジ装置は、前記障子側の第一固定プレートと、前記枠体側の第二固定プレートと、前記第一固定プレートを前記第二固定プレートに開閉移動可能に連結した連結機構とを備え、
前記障子および前記枠体のうちの少なくとも一方は、前記第一、第二固定プレートのうちの少なくとも一方の固定プレートに対して前記障子の開放移動および閉鎖移動のうちの少なくとも一方の移動によって力が加わる方向において、当該一方の固定プレートを受けるプレート受け部を有している
ことを特徴とする開き窓。
【請求項２】
請求項１に記載の開き窓において、
前記プレート受け部は、前記障子および前記枠体のうちの一方の見込み面から延出した第一受け片部と、前記一方の見込み面から延出しているとともに前記第一受け片部に沿って配置された第二受け片部とによって構成され、
前記一方の固定プレートは、前記第一、第二受け片部間において前記一方の見込み面に沿って配置されている
ことを特徴とする開き窓。
【請求項３】
請求項２に記載の開き窓において、
前記第一、第二受け片部の先端縁部は、互いに接近する方向に折曲した形状とされている
ことを特徴とする開き窓。
【請求項４】
請求項３に記載の開き窓において、
前記一方の固定プレートのうちの前記第一、第二受け片部間に配置された部分には、前記一方の見込み面に沿った方向に対して傾斜した抜け抑制部が形成され、
前記抜け抑制部は、前記一方の見込み面および前記第一、第二の受け片部の先端縁部の内面に当接している
ことを特徴とする開き窓。
【請求項５】
請求項１から請求項４のいずれか一項に記載の開き窓において、
前記障子は、上下の横框および左右の縦框によって構成される框体内に面材を配置して構成され、
前記プレート受け部は、前記横框の見込み面に形成され、
前記第一固定プレートは、前記横框の見込み面に沿って配置されたプレート本体部と、前記プレート本体部から折曲されているとともに前記縦框の見込み面に沿って配置されたプレート取付部とを有し、
前記プレート本体部は、前記プレート受け部に当接して配置され、
前記プレート取付部は、前記縦框とともに前記横框に共締めされている
ことを特徴とする開き窓。
【請求項６】
請求項５に記載の開き窓において、
前記プレート受け部は、前記横框の見込み面から延出しているとともに先端縁部が互いに接近する方向に折曲した形状とされた第一受け片部および第二受け片部によって構成され、
前記第一、第二受け片部間には、前記プレート本体部が配置され、
前記プレート本体部および前記プレート取付部の交差角度は、前記横框および前記縦框のコーナー角度とは異なる角度である
ことを特徴とする開き窓。
【請求項７】
請求項５または請求項６に記載の開き窓において、
前記縦框の長手方向における端部には、切欠き部が形成され、
前記プレート本体部には、その幅寸法が小さくされた狭幅部が形成され、
前記狭幅部は、前記切欠き部に配置されている
ことを特徴とする開き窓。
【請求項８】
請求項１から請求項４のいずれか一項に記載の開き窓において、
前記障子は、上下の横框および左右の縦框によって構成される框体内に面材を配置して構成され、
前記プレート受け部は、前記縦框の見込み面に形成され、
前記第一固定プレートは、前記プレート受け部に当接したプレート本体部と、前記プレート本体部に連続したプレート取付部とを有し、
前記プレート本体部および前記プレート取付部は、前記縦框の見込み面に沿って配置され、
前記プレート取付部は、前記縦框とともに前記横框に共締めされている
ことを特徴とする開き窓。
【発明の詳細な説明】
【技術分野】
【０００１】
本発明は、枠体に障子を開閉可能に連結するヒンジ装置を備えた開き窓に関する。
【背景技術】
【０００２】
従来、四方枠組みされた枠体と、枠体内に設けられた障子とを備えたすべり出し窓が知られている（特許文献１参照）。
このすべり出し窓は、枠体に障子をすべり出し式に開閉可能に連結したフリクションステー（ヒンジ装置）を備えている。ヒンジ装置は、枠プレートと、障子プレートと、枠プレートおよび障子プレートに回転可能に連結されたアームと、障子プレートに回転可能に連結され、かつ枠プレートの溝に移動自在に嵌合したスライドピースとを備えている。
このヒンジ装置において、枠プレートは枠体にビス止めされており、障子プレートは障子にビス止めされている。
【先行技術文献】
【特許文献】
【０００３】
【特許文献１】特開２００２−７０３９７号公報
【発明の概要】
【発明が解決しようとする課題】
【０００４】
ところで、特許文献１に記載のすべり出し窓では、枠体プレートや障子プレートを枠体や障子にビス止めするだけであるので、障子の開閉動作時などにヒンジ装置に加わる各方向の力を受けるために多くの本数のビスが必要となる。このため、これらのビスによる固定作業に手間を要することとなり、ヒンジ装置の取付作業性を向上することが困難である。
また、このことは、縦すべり出し窓や横すべり出し窓といったすべり出し窓に限らず、ヒンジ装置を備える外開き窓や内開き窓などでも同様である。
【０００５】
本発明の目的は、ヒンジ装置の取付作業性を向上できる開き窓を提供することにある。
【課題を解決するための手段】
【０００６】
本発明の開き窓は、枠体と、前記枠体内に配置された障子と、前記枠体に前記障子を開閉可能に連結したヒンジ装置とを備える開き窓であって、前記ヒンジ装置は、前記障子側の第一固定プレートと、前記枠体側の第二固定プレートと、前記第一固定プレートを前記第二固定プレートに開閉移動可能に連結した連結機構とを備え、前記障子および前記枠体のうちの少なくとも一方は、前記第一、第二固定プレートのうちの少なくとも一方の固定プレートに対して前記障子の開放移動および閉鎖移動のうちの少なくとも一方の移動によって力が加わる方向において、当該一方の固定プレートを受けるプレート受け部を有していることを特徴とする。
【０００７】
本発明の開き窓によれば、障子がプレート受け部を有している場合には、障子の開放移動および閉鎖移動のうちの少なくとも一方の移動によって障子側の第一固定プレートに力が加えられても、この第一固定プレートをプレート受け部によって受けることができる。このため、障子の開放移動および閉鎖移動のうちの少なくとも一方の移動によって加わる力を受けるためのビスが必要なくなるので、第一固定プレートを障子に取り付けるためのビスを削減でき、ヒンジ装置の取付作業性を向上できる。
また、枠体がプレート受け部を有している場合には、障子の開放移動および閉鎖移動のうちの少なくとも一方の移動によって枠体側の第二固定プレートに力が加えられても、この第二固定プレートをプレート受け部によって受けることができる。このため、障子の開放移動および閉鎖移動のうちの少なくとも一方の移動によって加わる力を受けるためのビスが必要なくなるので、第二固定プレートを枠体に取り付けるためのビスを削減でき、ヒンジ装置の取付作業性を向上できる。
【０００８】
本発明の開き窓では、前記プレート受け部は、前記障子および前記枠体のうちの一方の見込み面から延出した第一受け片部と、前記一方の見込み面から延出しているとともに前記第一受け片部に沿って配置された第二受け片部とによって構成され、前記一方の固定プレートは、前記第一、第二受け片部間において前記一方の見込み面に沿って配置されていることが好ましい。
このような構成によれば、ヒンジ装置の回転開放動作により、前記一方の見込み面に直交する軸回りの回転方向の力が前記一方の固定プレートに加えられても第一、第二受け片部のうちの一方によって前記一方の固定プレートを受けることができる。
また、ヒンジ装置の回転閉鎖動作により、前記一方の見込み面に直交する軸回りの逆回転方向の力が前記一方の固定プレートに加えられても第一、第二受け片部のうちの他方によって前記一方の固定プレートを受けることができる。
【０００９】
本発明の開き窓では、前記第一、第二受け片部の先端縁部は、互いに接近する方向に折曲した形状とされていることが好ましい。
このような構成によれば、前記一方の固定プレートを第一、第二受け片部間にスライド挿入可能であるとともに、スライド挿入した一方の固定プレートが障子および枠体のうちの一方の見込み面に直交する方向に離れることを第一、第二受け片部の各先端縁部によって抑制できる。このため、一方の固定プレートのうち第一、第二受け片部間にスライド挿入された部分が前記一方の見込み面に直交する方向に離れる力を受けるためのビスが必要なくなり、このビスを削減できて取付作業性を更に向上できる。
【００１０】
本発明の開き窓では、前記一方の固定プレートのうちの前記第一、第二受け片部間に配置された部分には、前記一方の見込み面に沿った方向に対して傾斜した抜け抑制部が形成され、前記抜け抑制部は、前記一方の見込み面および前記第一、第二の受け片部の先端縁部の内面に当接していることが好ましい。
このような構成によれば、前記一方の固定プレートが第一、第二受け片部間に配置された状態で、抜け抑制部が、前記一方および第一、第二受け片部の先端縁部の内面に当接することで摺動摩擦抵抗が生じる。このため、一方の固定プレートが意図せずに抜け出ることを抑制できる。また、前記一方の固定プレートの配置状態における障子および枠体のうちの一方に対するガタツキを抑制できる。
【００１１】
本発明の開き窓では、前記障子は、上下の横框および左右の縦框によって構成される框体内に面材を配置して構成され、前記プレート受け部は、前記横框の見込み面に形成され、前記第一固定プレートは、前記横框の見込み面に沿って配置されたプレート本体部と、前記プレート本体部から折曲されているとともに前記縦框の見込み面に沿って配置されたプレート取付部とを有し、前記プレート本体部は、前記プレート受け部に当接して配置され、前記プレート取付部は、前記縦框とともに前記横框に共締めされていることが好ましい。
このような構成によれば、例えば開き窓を縦すべり出し窓によって構成しても、横框に沿って配置されたプレート本体部に対して折曲したプレート取付部を縦框とともに横框に共締めすることで、第一固定プレートを横框に取り付けるためのビスと、縦框を横框に取り付けるためのビスとを共用できる。このため、ビス本数を削減できて開き窓の組立作業性を向上できる。
【００１２】
本発明の開き窓では、前記プレート受け部は、前記横框の見込み面から延出しているとともに先端縁部が互いに接近する方向に折曲した形状とされた第一受け片部および第二受け片部によって構成され、前記第一、第二受け片部間には、前記プレート本体部が配置され、前記プレート本体部および前記プレート取付部の交差角度は、前記横框および前記縦框のコーナー角度とは異なる角度であることが好ましい。
このような構成によれば、プレート取付部を縦框とともに横框に共締めすることで、プレート本体部が横框の見込み面や第一、第二受け片部の内面に圧接することとなり、第一固定プレートの横框に対するガタツキを抑制できる。
【００１３】
本発明の開き窓では、前記縦框の長手方向における端部には、切欠き部が形成され、前記プレート本体部には、その幅寸法が小さくされた狭幅部が形成され、前記狭幅部は、前記切欠き部に配置されていることが好ましい。
このような構成によれば、狭幅部を切欠き部に配置することで第一固定プレートを仮位置決めでき、ヒンジ装置の取付作業性を更に向上できる。
【００１４】
本発明の開き窓では、前記障子は、上下の横框および左右の縦框によって構成される框体内に面材を配置して構成され、前記プレート受け部は、前記縦框の見込み面に形成され、前記第一固定プレートは、前記プレート受け部に当接したプレート本体部と、前記プレート本体部に連続したプレート取付部とを有し、前記プレート本体部および前記プレート取付部は、前記縦框の見込み面に沿って配置され、前記プレート取付部は、前記縦框とともに前記横框に共締めされていることが好ましい。
このような構成によれば、例えば開き窓を横すべり出し窓によって構成しても、プレート本体部がプレート受け部に当接した状態でプレート取付部を縦框とともに横框に共締めすることで、第一固定プレートを縦框に取り付けるためのビスと、縦框を横框に取り付けるためのビスとを共用できる。このため、ビス本数を削減できて開き窓の組立作業性を向上できる。
【発明の効果】
【００１５】
本発明によれば、ヒンジ装置の取付作業性を向上できる開き窓を提供できる。
【図面の簡単な説明】
【００１６】
【図１】本発明の第１実施形態に係る縦すべり出し窓を示す斜視図。
【図２】第１実施形態に係る縦すべり出し窓のヒンジ装置を示す斜視図。
【図３】第１実施形態に係る縦すべり出し窓のヒンジ装置の取付手順を示す斜視図。
【図４】本発明の第２実施形態に係る横すべり出し窓を示す斜視図。
【図５】第２実施形態に係る横すべり出し窓のヒンジ装置を示す斜視図。
【図６】第２実施形態に係る横すべり出し窓のヒンジ装置の取付手順を示す斜視図。
【図７】第２実施形態に係る横すべり出し窓のヒンジ装置の取付手順を示す斜視図。
【図８】本発明の第１変形例に係る第一固定プレートを示す説明図。
【図９】本発明の第２変形例に係る第一固定プレートを示す説明図。
【発明を実施するための形態】
【００１７】
［第１実施形態の構成］
以下、本発明の第１実施形態を図面に基づいて説明する。
図１〜３において、第１実施形態に係る縦すべり出し窓１は、建物躯体の開口に設置されるものであり、窓枠２（枠体）と、窓枠２内に配置された障子３と、窓枠２を障子３に縦すべり出し式に開閉可能に連結したヒンジ装置１０（１０Ａ，１０Ｂ）とを備えている。図１は、ヒンジ装置１０によって障子３が窓枠２に取り付けられる前の状態を示す斜視図である。
【００１８】
窓枠２は、アルミ押出形材によって形成された上枠２１（横枠）、下枠２２（横枠）および左右の縦枠２３が枠組みして構成されている。
障子３は、アルミ押出形材によって形成された上框３１（横框）、下框３２（横框）、左右の縦框３３およびガラスパネル等の面材（図示省略）が縦框勝ちに框組みして構成されている。
ここで、図に示すＸ，Ｙ，Ｚ軸方向は互いに直交しており、Ｘ軸方向は左右の縦框３３の見付け方向に沿っており、Ｙ軸方向は上框３１および下框３２の見付け方向に沿っており、Ｚ軸方向は縦すべり出し窓１の見込み方向に沿っている。
【００１９】
上框３１は、図２に示すように、室内見付け片部３１１、外見込み片部３１２、内見込み片部３１３および室外見付け片部３１４を有した中空の框本体部３１０と、外見込み片部３１２（見込み片部）の上側の見込み面３１２Ａから上方に延出した第一受け片部３１６および第二受け片部３１７によって構成されたプレート受け部３１５とを有している。外見込み片部３１２および内見込み片部３１３のそれぞれの対向面側にはビスホール部３１８が形成されている。
下框３２は、上框３１と概略同様に構成されており、上下逆向きに配置されているので、詳細な説明を省略する。
左右の縦框３３は、室内見付け片部３３１、縦框見込み片部３３２および室外見付け片部３３３を有して断面略コ字形状に形成されており、縦框見込み片部３３２の上下の端部には、ビス５が挿通される二つのビス孔３３４がそれぞれ形成されている。
【００２０】
上框３１の第一受け片部３１６は、上框３１の長手方向に沿って延びて形成されており、上框３１の第二受け片部３１７は、上框３１の長手方向および第一受け片部３１６に沿って延びて形成されており、それぞれの先端縁部３１６Ａ，３１７Ａは、Ｚ軸方向において互いに接近する方向に折曲した形状とされている。これらの第一、第二受け片部３１６，３１７は、互いに向き合って鉤状に形成されている。第一、第二受け片部３１６，３１７の先端縁部３１６Ａ，３１７Ａを除く部分は、第一固定プレート１１がスライド挿入可能となるように後述するプレート本体部１１１の幅よりも若干大きな間隔を隔てて配置されている。
【００２１】
ヒンジ装置１０Ａは、上枠２１および上框３１を連結するものであり、ヒンジ装置１０Ｂは、下枠２２および下框３２を連結するものである。これらのヒンジ装置１０Ａ，１０Ｂは、互いに同様に構成されており、上下逆向きに配置されているので、以下、ヒンジ装置１０Ａについて詳細に説明し、ヒンジ装置１０Ｂについては、図に同符号を適宜付して詳細な説明を省略する。
ヒンジ装置１０Ａは、図２に示すように、上枠２１および上框３１を連結するものであり、障子３側の第一固定プレート１１と、窓枠２側の第二固定プレート１２と、第一固定プレート１１に第二固定プレート１２を開閉移動可能に連結した連結機構１３とを備えている。
【００２２】
第一固定プレート１１は、上框３１の見込み面３１２Ａに沿って配置されたプレート本体部１１１と、プレート本体部１１１の縦框３３側の端部から下方に折曲されているとともに縦框３３の見込み面３３２Ａに沿って配置されたプレート取付部１１２とを有している。
プレート本体部１１１の縦框３３側の端部には、軸ピン１６Ａが取り付けられており、プレート本体部１１１の長手方向における中間部には、軸ピン１６Ｂが取り付けられている。なお、プレート本体部１１１の上框３１側の端部は、第一、第二受け片部３１６，３１７間への差込端部として構成されている。
プレート取付部１１２は、上框３１および縦框３３のコーナー角度と等しい交差角度（本実施形態では９０°）でプレート本体部１１１に対して交差している。プレート取付部１１２には、前述した二つのビス５が挿通されるビス孔１１３が形成されている。
【００２３】
第二固定プレート１２は、上枠２１の見込み片部に沿って配置されてビス止めされるものである。第二固定プレート１２の長手方向における一方の端部には、軸ピン１６Ｃが取り付けられており、第二固定プレート１２の長手方向における中間部には、軸ピン１６Ｄが取り付けられている。第二固定プレート１２における軸ピン１６Ｃ，１６Ｄ間の部分と、第二固定プレート１２の他方の端部には、第二固定プレート１２を上枠２１に固定するためのビス５が挿通されるビス孔１２３が形成されている。
【００２４】
連結機構１３は、第一リンクアーム１４と、第一リンクアーム１４よりも長い第二リンクアーム１５と、第一、第二リンクアーム１４，１５を第一、第二固定プレート１１，１２に回転可能に連結した前述した軸ピン１６Ａ〜１６Ｄとによって構成されている。
第一リンクアーム１４の一方の端部は、軸ピン１６Ａによってプレート本体部１１１の縦框３３側の端部に回転可能に連結されており、他方の端部は、軸ピン１６Ｃによって第二固定プレート１２の一方の端部に回転可能に連結されている。
第二リンクアーム１５の一方の端部は、軸ピン１６Ｂによってプレート本体部１１１の中間部に回転可能に連結されており、他方の端部は、軸ピン１６Ｄによって第二固定プレート１２の他方の端部に回転可能に連結されている。
この連結機構１３は、第一、第二リンクアーム１４，１５の回転によって、第一固定プレート１１を第二固定プレート１２に対してすべり出し式に開閉移動可能に連結しており、第一固定プレート１１は、第二固定プレート１２に沿った閉鎖位置と第二固定プレート１２に交差した開放位置（図２に示す位置）とに配置可能とされている。
【００２５】
以下、本実施形態に係る縦すべり出し窓１におけるヒンジ装置１０の取付手順について図３を参照して説明する。
ヒンジ装置１０Ａは、上框３１に吊元側の縦框３３をビス止めする際に取り付けられ、ヒンジ装置１０Ｂは、下框３２に吊元側の縦框３３をビス止めする際に取り付けられる。
ヒンジ装置１０Ａは、上框３１の吊元側の端面に縦框３３の縦框見込み片部３３２の上部を当てた状態で、第一固定プレート１１のプレート本体部１１１が上框３１の第一、第二受け片部３１６，３１７間にスライド挿入され、第一固定プレート１１のプレート取付部１１２が縦框見込み片部３３２の見込み面３３２Ａに沿って配置される。このとき、第一受け片部３１６は、第一固定プレート１１に対して上框３１の見込み方向における一方側（室内側）に位置し、第二受け片部３１７は、第一固定プレート１１に対して上框３１の見込み方向における他方側（室外側）に位置し、第一、第二受け片部３１６，３１７の先端縁部３１６Ａ,３１７Ａは、第一固定プレート１１の上面側に位置する。このため、障子３の開放移動によって上框３１の見込み面３１２Ａに直交する軸回りの回転方向の力が第一固定プレート１１に加えられても、第一受け片部３１６によって第一固定プレート１１を受けることができ、障子３の閉鎖移動によって上框３１の見込み面３１２Ａに直交する軸回りの逆回転方向の力が第一固定プレート１１に加えられても、第二受け片部３１７によって第一固定プレート１１を受けることができる。また、第一固定プレート１１が上框３１の見込み面３１２Ａから離間する上方への揺動は第一、第二受け片部３１６，３１７の先端縁部３１６Ａ，３１７Ａによって規制される。このように、プレート受け部３１５は、第一固定プレート１１に対して障子３の開放移動および閉鎖移動の移動によって力が加わる方向において、第一固定プレート１１を受ける。
【００２６】
前述したように、プレート受け部３１５に第一固定プレート１１がスライド挿入されたヒンジ装置１０Ａは、上框３１に対して仮固定された状態となる。次に、プレート取付部１１２の各ビス孔１１３（図２参照）および縦框３３の各ビス孔３３４にビス５を挿通して上框３１の各ビスホール部３１８にねじ込むことで、第一固定プレート１１を吊元側の縦框３３とともに上框３１に共締めする。このように、第一固定プレート１１を上框３１に固定するためのビス５を、縦框３３を上框３１に取り付けるビス５とは別個に用意してねじ込む必要がなく、また、上框３１にビス５をねじ込む必要もないので、使用するビス本数を減らすことができ、第一固定プレート１１を上框３１に固定する手間を軽減できる。
なお、ヒンジ装置１０Ｂもヒンジ装置１０Ａと概略同様に、第一固定プレート１１がプレート受け部３１５にスライド挿入されて吊元側の縦框３３とともに下框３２に共締めされる。
ヒンジ装置１０Ａ，１０Ｂが上框３１、下框３２に取り付けられた後、各第二固定プレート１２が上枠２１、下枠２２の枠見込み片部にビス５によってそれぞれビス止めされ、これにより、障子３は窓枠２に縦すべり出し式に開閉可能に連結される。
【００２７】
［第１実施形態の効果］
（１）縦すべり出し窓１は、障子３の開放移動および閉鎖移動によって障子３側の第一固定プレート１１に力が加えられても、この第一固定プレート１１をプレート受け部３１５によって受けることができる。このため、障子３の開放移動および閉鎖移動によって加わる力を受けるためのビス５が必要なくなるので、第一固定プレート１１を障子３に取り付けるためのビス５を削減でき、ヒンジ装置１０の取付作業性を向上できる。
（２）ヒンジ装置１０の回転開放動作により、上框３１、下框３２の見込み面３１２Ａに直交する軸回りの回転方向、逆回転方向の力が第一固定プレート１１に加えられても、第一受け片部３１６または第二受け片部３１７によって第一固定プレート１１を受けることができる。
（３）第一固定プレート１１を第一、第二受け片部３１６,３１７間にスライド挿入して配置可能であるとともに、配置した第一固定プレート１１が見込み面３１２Ａに直交する上下方向に離れることを第一、第二受け片部３１６，３１７の各先端縁部３１６Ａ,３１７Ａによって抑制できる。このため、第一固定プレート１１のうち第一、第二受け片部３１６，３１７間に配置された部分が見込み面３１２Ａに直交する方向に離れる力を受けるためのビス５が必要なくなり、このビス５を削減できて取付作業性を更に向上できる。
（４）上框３１、下框３２に沿って配置された各プレート本体部１１１に対して折曲したプレート取付部１１２を吊元側の縦框３３とともに上框３１、下框３２に共締めすることで、第一固定プレート１１を上框３１、下框３２に取り付けるためのビス５と、吊元側の縦框３３を上框３１、下框３２に取り付けるためのビス５とを共用できる。このため、ビス本数を削減できて縦すべり出し窓１の組立作業性を向上できる。
【００２８】
［第２実施形態の構成］
以下、本発明の第２実施形態を図面に基づいて説明する。
図４〜７において、第２実施形態に係る横すべり出し窓１Ａは、建物の開口に設置されるものであり、窓枠２（枠体）と、窓枠２内に配置された障子３と、窓枠２を障子３に横すべり出し式に開閉可能に連結したヒンジ装置１０（１０Ｃ，１０Ｂ）とを備えている。図４は、ヒンジ装置１０によって障子３が窓枠２に取り付けられる前の状態を示す斜視図である。
【００２９】
横すべり出し窓１Ａの窓枠２は、前述した縦すべり出し窓１の窓枠２と概略同様に構成されている。横すべり出し窓１Ａの障子３は、前述した縦すべり出し窓１の障子３と概略同様に構成されているが、プレート受け部３１５が、上框３１および下框３２ではなく、左右の縦框３３の縦框見込み片部３３２の見込み面３３２Ａから延出した第一、第二受け片部３１６，３１７によって構成されている。
【００３０】
ヒンジ装置１０Ｃ，１０Ｄは、ヒンジ装置１０Ａ，１０Ｂと概略同様に構成されているが、プレート取付部１１２がプレート本体部１１１に対して折曲されておらず、当該プレート本体部１１１に沿っており、軸ピン１６Ａがプレート取付部１１２に取り付けられている。
【００３１】
以下、本実施形態に係る縦すべり出し窓１におけるヒンジ装置１０の取付手順について図６，７を参照して説明する。
ヒンジ装置１０Ｃ，１０Ｄの第一固定プレート１１のプレート本体部１１１は、障子３の框組み前に、図６に示すように左右の縦框３３の上方から第一、第二受け片部３１６，３１７間にスライド挿入され、プレート取付部１１２が第二受け片部３１７の上端に掛かり、図７に示す状態となる。このとき、第一受け片部３１６は、第一固定プレート１１に対して縦框３３の見込み方向における一方側（室内側）に位置し、第二受け片部３１７は、第一固定プレート１１に対して縦框３３の見込み方向における他方側（室外側）に位置し、第一、第二受け片部３１６，３１７の先端縁部３１６Ａ,３１７Ａは、第一固定プレート１１の左右一方の面側に位置する。このため、障子３の開放移動によって縦框３３の見込み面３３２Ａに直交する軸回りの回転方向の力が第一固定プレート１１に加えられても、第一受け片部３１６によって第一固定プレート１１を受けることができ、障子３の閉鎖移動によって縦框３３の見込み面３３２Ａに直交する軸回りの逆回転方向の力が第一固定プレート１１に加えられても、第二受け片部３１７によって第一固定プレート１１を受けることができる。また、第一固定プレート１１が縦框３３の見込み面３３２Ａから離間する左右方向への揺動は第一、第二受け片部３１６，３１７の先端縁部３１６Ａ，３１７Ａによって規制される。このように、プレート受け部３１５は、第一固定プレート１１に対して障子３の開放移動および閉鎖移動の移動によって力が加わる方向において、第一固定プレート１１を受ける。
【００３２】
前述したように、プレート受け部３１５に第一固定プレート１１がスライド挿入されたヒンジ装置１０Ｃ，１０Ｄは、左右の縦框３３に対して仮固定された状態となる。次に、プレート取付部１１２の各ビス孔１１３（図２参照）および縦框３３の各ビス孔３３４にビス５を挿通して上框３１の各ビスホール部３１８にねじ込むことで、第一固定プレート１１を左右の縦框３３とともに上框３１に共締めする。このように、第一固定プレート１１を縦框３３に固定するためのビス５を、縦框３３を上框３１に取り付けるビス５とは別個に用意してねじ込む必要がないので、使用するビス本数を減らすことができ、第一固定プレート１１を縦框３３に固定する手間を軽減できる。
ヒンジ装置１０Ｃ，１０Ｄが左右の縦框３３に取り付けられた後、各第二固定プレート１２が左右の縦枠２３の枠見込み片部にビス５によってそれぞれビス止めされ、これにより、障子３は窓枠２に横すべり出し式に開閉可能に連結される。
この第２実施形態に係る横すべり出し窓１Ａによれば、前述した第１実施形態に係る縦すべり出し窓１と概略同様の作用効果を発揮できる。
【００３３】
［変形例］
本発明は、以上の実施形態で説明した構成のものに限定されず、本発明の目的を達成できる範囲での変形例は、本発明に含まれる。
例えば、ヒンジ装置１０Ａの第一固定プレート１１のプレート本体部１１１は、上框３１の見込み面３１２Ａに沿って延びているが、例えば図８（Ａ）に示すように、見込み面３１２Ａに沿った方向に対して傾斜した抜け抑制部１１４がプレート本体部１１１に形成されていてもよい。このように第一固定プレート１１のうち第一、第二受け片部３１６，３１７間にスライド挿入される部分に形成された抜け抑制部１１４は上框３１の見込み面３１２Ａおよび第一、第二受け片部３１６，３１７の先端縁部３１６Ａ，３１７Ａの内面に当接し、この当接によって生じる摺動摩擦抵抗によって第一固定プレート１１が意図せずに第一、第二受け片部３１６，３１７間からスライド方向に抜け出ることを抑制できる。また、第一固定プレート１１のスライド挿入状態における上框３１に対するガタツキを抑制できる。
更に、前述した抜け抑制部１１４は、ヒンジ装置１０Ｂ〜１０Ｄのプレート本体部１１１に形成されていてもよい。
【００３４】
第１実施形態では、ヒンジ装置１０Ａのプレート本体部１１１およびプレート取付部１１２の交差角度は、上框３１および吊元側の縦框３３のコーナー角度と等しい角度とされているが、コーナー角度と異なる角度とされてもよい。
例えば図８（Ｂ）に示すように、前述した交差角度がコーナー角度よりも小さい角度とされた場合には、プレート取付部１１２がビス止めされると、プレート本体部１１１が上框３１の見込み面３１２Ａに圧接するので、第一固定プレート１１の上框３１に対するガタツキを抑制できる。
また、例えば図８（Ｃ）に示すように、前述した交差角度がコーナー角度よりも大きい角度とされた場合には、プレート取付部１１２がビス止めされると、プレート本体部１１１が上框３１の見込み面３１２Ａに対して傾斜した状態となって第一、第二受け片部３１６，３１７の内面に圧接するので、第一固定プレート１１の上框３１に対するガタツキを抑制できる。
なお、ヒンジ装置１０Ｂのプレート本体部１１１およびプレート取付部１１２の交差角度が、下框３２および吊元側の縦框３３のコーナー角度と異なる角度とされてもよく、この場合にも前述した作用効果を発揮できる。
【００３５】
ヒンジ装置１０Ａの第一固定プレート１１のプレート本体部１１１は、その長手方向における一方の端部から他方の端部までにわたって等しい幅寸法とされているが、例えば図９（Ａ）に示すように、プレート本体部１１１の一方の端部（縦框３３側の端部）に幅寸法が小さくされた狭幅部１１１Ａが形成されてもよい。この場合、吊元側の縦框３３の縦框見込み片部３３２の長手方向における上端部には、前記狭幅部１１１Ａが配置される切欠き部３３２Ｂが形成される。
この第一固定プレート１１は、先ず、図９（Ｂ）に示すように、狭幅部１１１Ａが縦框３３の切欠き部３３２Ｂに配置され、図９（Ｃ）に示すように、プレート本体部１１１が上框３１の第一、第二受け片部３１６，３１７間にスライド挿入されることで、仮位置決めされる。すなわち、第一固定プレート１１は、吊元側の縦框３３が上框３１に対して左右方向に離されない限り上框３１から外れずに仮位置決めされた状態とされる。このため、ヒンジ装置１０Ａの取付作業性を更に向上できる。
なお、ヒンジ装置１０Ｂにもヒンジ装置１０Ａと同様に狭幅部１１１Ａが形成され、吊元側の縦框３３の下端部に切欠き部３３２Ｂが形成されてもよい。
【００３６】
第１、第２実施形態では、プレート受け部３１５は、第一、第二受け片部３１６，３１７の双方によって構成されているが、ビス止め等によって第一、第二受け片部３１６，３１７のうちの一方がなくても第一固定プレート１１に加わる力を受けられる構成である場合には、当該一方の受け片部の構成を省略してもよい。
また、第一、第二受け片部３１６，３１７の先端縁部３１６Ａ，３１７Ａは、互いに接近する方向に折曲した形状とされているが、ビス止め等によって第一固定プレート１１の見込み面３１２Ａ（３３２Ａ）に対する離間方向の揺動を規制できる構成である場合には、先端縁部３１６Ａ，３１７Ａは互いに接近する方向に折曲していなくてもよく、各見込み面３１２Ａ（３３２Ａ）から延出した方向に沿っていてもよい。
【００３７】
第１実施形態では、第二固定プレート１２は、上枠２１（下枠２２）にビス止めされているが、上枠２１（下枠２２）に前述したプレート受け部３１５と同様のプレート受け部を形成し、このプレート受け部に第二固定プレート１２を受けさせて上枠２１（下枠２２）に固定してもよい。この場合、上框３１（下框３２）のプレート受け部３１５の構成を省略し、第一固定プレート１１のプレート本体部１１１を上框３１（下框３２）にビス止めしてもよい。
また、第２実施形態では、第二固定プレート１２は、縦枠２３にビス止めされているが、縦枠２３に前述したプレート受け部３１５と同様のプレート受け部を形成し、このプレート受け部に第二固定プレート１２を受けさせて縦枠２３に固定してもよい。この場合、縦框３３のプレート受け部３１５の構成を省略し、第一固定プレート１１のプレート本体部１１１を縦框３３にビス止めしてもよい。
【００３８】
第１、第２実施形態では、第一固定プレート１１は、縦框３３とともに上框３１（下框３２）に共締めされているが、縦框３３を上框３１（下框３２）に取り付けるビス５とは別個のビス５によって上框３１（下框３２）や縦框３３にビス止めされてもよい。
第１、第２実施形態では、上枠２１、下枠２２および左右の縦枠２３、ならびに上框３１、下框３２および左右の縦框３３は、アルミ押出形材によって形成されているものとしたが、樹脂形材によって形成されていてもよく、また、アルミ樹脂複合形材によって形成されていてもよい。
【００３９】
第１実施形態では、縦すべり出し窓１を本発明の開き窓の実施形態の一つとして説明し、第２実施形態では、横すべり出し窓１Ａを本発明の開き窓の実施形態の一つとして説明したが、このほか、外開き窓や内開き窓などの各種の開き系の窓（開き窓）であってもよい。この場合には、ヒンジ装置１０は、前述したすべり出し式に対応した連結機構１３ではなく、回転開閉式に対応した連結機構、例えば第一固定プレート１１を第二固定プレート１２に回転可能に連結する回転軸などによって構成される連結機構を備えていてもよい。
【符号の説明】
【００４０】
１…縦すべり出し窓（開き窓）、１０（１０Ａ〜１０Ｄ）…ヒンジ装置、１１…第一固定プレート、１１１…プレート本体部、１１１Ａ…狭幅部、１１２…プレート取付部、１１３，１２３，３３４…ビス孔、１１４…抜け抑制部、１２…第二固定プレート、１３…連結機構、１４…第一リンクアーム、１５…第二リンクアーム、１６Ａ〜１６Ｄ…軸ピン、１Ａ…横すべり出し窓（開き窓）、２…窓枠（枠体）、２１…上枠、２２…下枠、２３…縦枠、３…障子、３１…上框、３１０…框本体部、３１１，３３１…室内見付け片部、３１２…外見込み片部、３１２Ａ，３３２Ａ…見込み面、３１３…内見込み片部、３１４，３３３…室外見付け片部、３１５…プレート受け部、３１６…第一受け片部、３１６Ａ，３１７Ａ…先端縁部、３１７…第二受け片部、３１８…ビスホール部、３２…下框、３３…縦框、３３２…縦框見込み片部、３３２Ｂ…切欠き部、５…ビス。
【図１】
2018193783.tif 000003
【図２】
2018193783.tif 000004
【図３】
2018193783.tif 000005
【図４】
2018193783.tif 000006
【図５】
2018193783.tif 000007
【図６】
2018193783.tif 000008
【図７】
2018193783.tif 000009
【図８】
2018193783.tif 000010
【図９】
2018193783.tif 000011